(57)【要約】【課題】針金や棒等によるサムターンの回転を阻止し、かつ、防犯状態と通常の操作が行える状態とに切り換えを可能とする。【解決手段】サムターン軸１１の錠箱機構部２１と反対側に配設されるクラッチ１３と、サムターン軸１１とクラッチ１３とを回動自在とし抜脱不能に支持する基台部２７と、サムターン軸１１に同軸とされ基台部２７より延出する軸部３３と、軸部３３に回転自在かつ軸線方向に移動自在となって抜脱不能に外挿されクラッチ１３と係合する係合手段６３を有した回転操作部材１５と、軸部３３に係止して回転操作部材１５の軸線方向の移動を規制するとともに摘み操作されることで規制を解除して係合手段６３とクラッチ１３との係合を可能とする操作部１７と、クラッチ１３と係合手段６３とが係合された状態を維持し回転操作部材１５と軸部３３とを連結状態とする保持部材１９とを具備する。【選択図】        図１
2004232230.tif 000002
【特許請求の範囲】
【請求項１】
錠箱機構部に回動操作力を入力するサムターン軸と、
該サムターン軸の前記錠箱機構部と反対側の端部に配設されるクラッチと、
前記サムターン軸とクラッチとを覆うとともに、該サムターン軸とクラッチとを回動自在とし抜脱不能に支持して扉面側に固設される基台部と、
該サムターン軸の前記錠箱機構部と反対側の端部に同軸となって設けられ、前記基台部より延出する軸部と、
前記軸部に回転自在かつ軸線方向に移動自在となって抜脱不能に外挿され前記クラッチとの相対回転を阻止する係合手段を有した回転操作部材と、
該回転操作部材に取り付けられ前記軸部に係止して該回転操作部材の軸線方向の移動を規制するとともに摘み操作されることで該規制を解除して前記係合手段と前記クラッチとの係合を可能とする操作部と、
前記クラッチと前記係合手段とが係合された状態を維持して前記回転操作部材と前記軸部とを連結状態とする保持手段と、
を具備したことを特徴とする防犯サムターン。
【請求項２】
錠箱機構部に回動操作力を入力するサムターン軸と、
該サムターン軸の前記錠箱機構部と反対側の端部に配設されるクラッチと、
前記サムターン軸とクラッチとを覆うとともに、該サムターン軸とクラッチとを回動自在とし抜脱不能に支持して扉面側に固設される基台部と、
該サムターン軸の前記錠箱機構部と反対側の端部に同軸となって設けられ、前記基台部より延出する軸部と、
該軸部に形成される段部と、
前記軸部に回転自在かつ軸線方向に移動自在となって抜脱不能に外挿され前記クラッチとの相対回転を阻止する係合手段を有した回転操作部材と、
該回転操作部材に、該回転操作部材の軸線と直交方向に挿着されて摺動自在に取り付けられ前記段部に当接して該回転操作部材の前記クラッチ側への移動を規制するとともに摺動操作されることで該規制を解除して前記係合手段が係合する方向に前記回転操作部材の移動を可能とする摺動摘みと、
前記クラッチと前記係合手段とが係合された状態を維持して前記回転操作部材と前記軸部とを連結状態とする保持手段と、
を具備したことを特徴とする防犯サムターン。
【請求項３】
錠箱機構部に回動操作力を入力するサムターン軸と、
該サムターン軸の前記錠箱機構部と反対側の端部に配設されるクラッチと、
前記サムターン軸とクラッチとを覆うとともに、該サムターン軸とクラッチとを回動自在とし抜脱不能に支持して扉面側に固設される基台部と、
該サムターン軸の前記錠箱機構部と反対側の端部に同軸となって設けられ、前記基台部より延出する軸部と、
該軸部に形成される段部と、
前記軸部に回転自在かつ軸線方向に移動自在となって抜脱不能に外挿され前記クラッチとの相対回転を阻止する係合手段を有した回転操作部材と、
該回転操作部材に、該回転操作部材の軸線と直交方向の揺動軸を介して揺動自在に取り付けられ前記段部に当接して該回転操作部材の前記クラッチ側への移動を規制するとともに揺動操作されることで該規制を解除して前記係合手段が係合する方向に前記回転操作部材の移動を可能とする揺動摘みと、
前記クラッチと前記係合手段とが係合された状態を維持して前記回転操作部材と前記軸部とを連結状態とする保持手段と、
を具備したことを特徴とする防犯サムターン。
【請求項４】
請求項３記載の防犯サムターンであって、
前記回転操作部材が略平板状の摘みを備え、前記揺動摘みが平板状の摘み部を有し、該摘み部が前記摘みと略平行に取り付けられることを特徴とする防犯サムターン。
【請求項５】
請求項１，２，３，４のいずれか１つに記載の防犯サムターンであって、
前記回転操作部材には、前記軸部の端部を表出させる貫通穴を有し、該貫通穴を介して、前記軸部の端部に前記保持手段が取り付けられることを特徴とする防犯サムターン。
【請求項６】
既存サムターンの摘みに被着され前記摘みの回動中心と同軸の軸部が突設されるクラッチと、
前記軸部に回転自在かつ軸線方向に移動自在となって抜脱不能に外挿され前記クラッチとの相対回転を阻止する係合手段を有したクラッチカバーと、
該クラッチカバーに取り付けられ前記軸部に係止して該クラッチカバーの軸線方向の移動を規制するとともに摘み操作されることで該規制を解除して前記係合手段と前記クラッチとの係合を可能とする操作部と、
前記クラッチと前記係合手段とが係合された状態を維持して前記クラッチカバーと前記軸部とを連結状態とする保持手段と、
を具備したことを特徴とする防犯サムターン。
【請求項７】
既存サムターンの摘みに被着される取付基台部を有し該取付基台部に、前記摘みの回動中心と同軸の軸部が突設されるクラッチと、
該クラッチの前記軸部に形成された段部と、
前記軸部に回転自在かつ軸線方向に移動自在となって抜脱不能に外挿され前記取付基台部を覆うとともに前記クラッチとの相対回転を阻止する係合手段を有したクラッチカバーと、
該クラッチカバーに、該クラッチカバーの軸線と直交方向に挿着されて摺動自在に取り付けられ前記段部に当接して該クラッチカバーの前記クラッチ側への移動を規制するとともに摺動操作されることで該規制を解除して前記係合手段が係合する方向に前記クラッチカバーの移動を可能とする摺動摘みと、
前記クラッチと前記係合手段とが係合された状態を維持して前記クラッチカバーと前記軸部とを連結状態とする保持手段と、
を具備したことを特徴とする防犯サムターン。
【請求項８】
既存サムターンの摘みに被着される取付基台部を有し該取付基台部に、前記摘みの回動中心と同軸の軸部が突設されるクラッチと、
該クラッチの前記軸部に形成された段部と、
前記軸部に回転自在かつ軸線方向に移動自在となって抜脱不能に外挿され前記取付基台部を覆うとともに前記クラッチとの相対回転を阻止する係合手段を有したクラッチカバーと、
該クラッチカバーに、該クラッチカバーの軸線と直交方向の揺動軸を介して揺動自在に取り付けられ前記段部に当接して該クラッチカバーの前記クラッチ側への移動を規制するとともに揺動操作されることで該規制を解除して前記係合手段が係合する方向に前記クラッチカバーの移動を可能とする揺動摘みと、
前記クラッチと前記係合手段とが係合された状態を維持して前記クラッチカバーと前記軸部とを連結状態とする保持手段と、
を具備したことを特徴とする防犯サムターン。
【請求項９】
請求項８記載の防犯サムターンであって、
前記揺動摘みが平板状の摘み部を有することを特徴とする防犯サムターン。
【請求項１０】
請求項６，７，８，９のいずれか１つに記載の防犯サムターンであって、
前記クラッチカバーには、前記軸部の端部を表出させる貫通穴を有し、該貫通穴を介して、前記軸部の端部に前記保持手段が取り付けられることを特徴とする防犯サムターン。
【請求項１１】
請求項５又は１０記載の防犯サムターンであって、
前記軸部の表出する先端面に回転位置表示手段が設けられていることを特徴とする防犯サムターン。
【請求項１２】
請求項５又は１０又は１１記載の防犯サムターンであって、
前記貫通穴には、開口を閉塞するキャップが取り付けられることを特徴とする防犯サムターン。
【請求項１３】
請求項１２記載の防犯サムターンであって、
前記キャップは、透明部材よりなることを特徴とする防犯サムターン。
【発明の詳細な説明】
【０００１】
【発明の属する技術分野】
本発明は、扉の施解錠操作に用いられる防犯サムターン、或いは既存のサムターンを覆う後付け用の防犯サムターンに関する。
【０００２】
【従来の技術】
例えば扉に設けられる施錠装置は、屋外側に表出させたシリンダー錠の鍵孔に、合鍵（キー）を挿入して回動操作することにより、扉の木口より進退させたデッドボルトを扉枠に設けたストライクに係合・係合解除して施解錠を行うとともに、屋内側からは、サムターンの摘みを回動操作するのみで、デッドボルトを進退させて、扉の施解錠を簡便に行えるようにしている。
【０００３】
ところが、近年、ポスト口や、機械工具によって開けた小さな穴から棒や針金等を挿入し、回転操作の容易なサムターンに係止して回転させ、施錠装置を解錠する不正解錠が増えている。
この出願の発明に関連する先行技術文献情報としては次のものがある。
【０００４】
【特許文献１】
実公平４−４０３６２号公報
【０００５】
このようなサムターンに針金等を係止して回転させることを防止するものに例えば上記特許文献１に開示されるサムターン用防犯カバーがある。
この防犯カバー１は、図１７，図１８に示すように、サムターン２が嵌入する嵌入孔３が形成されているとともに、回転時に円状軌跡２ｂを描くサムターン２の外面２ａを覆う部分が、円状軌跡に沿う円形状に形成されている。そして、嵌入孔３内に螺入してサムターン２の側面に当接し、両側から挟持するセットスクリュー４，４が設けられている。
このような構成からなる防犯カバー１は、嵌入孔３にサムターン２を挿入することで、サムターン２に防犯カバー１を覆うように被せる。その後セットスクリュー４，４を螺入させて締め付けることで、防犯カバー１をサムターン２に固定する。従って、サムターン２に被せた防犯カバー１によって、針金等を係止させて回転させることが難しくなる。
【０００６】
また、上記した防犯カバーの別態様として、図１９に示すように、防犯カバー１を、取付部５及び本体部６から構成したものが開示されている。取付部５は、上記の防犯カバー１の外形を手での操作が容易となるように形成し、本体部６が係止する係止突部５ａを設けている。取付部５は、サムターン２に被せた状態で、サムターン２を容易に回転させることができる。また、本体部６は、係止突部５ａに係止可能な係止部６ａを有している。
このようにすることで、係止作業という簡単な作業で、防犯カバー１の着脱が行える。さらに係止部６ａで本体部６が空転することにより、針金等を係止させて回転させることが不可能となる。
【０００７】
さらに、上記した防犯カバーの別態様として、図２０に示すように、係止部６ａ内に、係止突部５ａとの間にバネ部材８を設け、本体部６側の外周縁に複数の係合凹部５ｂと、この係合凹部５ｂに係合可能な係合凸部６ｂとを設けたものが開示されている。
このような構成とすれば、本体部６を常に取り付けたままとしておくことができる。すなわち、常時は係止突部５ａと係止部６ａとで本体部６が空転し、サムターン２を回転させたいときは、本体部６を手で押圧し、係合凸部６ｂを取付部５の係合凹部５ｂに係合させ、この係合状態のまま本体部６を回転させることにより、サムターン２を回転させることができた。
【０００８】
【発明が解決しようとする課題】
しかしながら、図１７，図１８に示した防犯カバーは、外形が円筒体形状であるため、サムターンに被せた場合、本来小判形状であることからその回転位置によって視認できたサムターンの施錠状態又は非施錠状態を視認不能にしてしまい、施解錠の操作性を低下させる問題があった。
また、図１９に示した防犯カバーは、サムターンを回転操作可能にする取付部と、この取付部に対し空転しかつ着脱可能となる本体部とから構成されているため、脱着した本体部の保管管理が煩雑となり、本体部を紛失する虞もあった。
さらに、図２０に示した防犯カバーは、サムターンを回転させたいときは、本体部を任意の回転位置で押圧すればよいため、何らかの方法により押圧が可能となれば、サムターンの回転が可能となり、防犯性を十分に高めることができなかった。
【０００９】
本発明は上記状況に鑑みてなされたもので、その第一の目的は、針金や棒等によるサムターンの回転を阻止できるとともに、押圧操作のみによっては錠箱機構部に回転操作力を入力不可能とする、或いは、既存サムターンへの回転入力が行えない防犯サムターンを提供し、防犯性のさらなる向上を図ることにある。また、その第二の目的は、着脱部材が不要であり、かつ、防犯状態と通常の操作が行える状態とに切り換えが可能とされ、さらには、サムターンの回転位置が容易に視認できる防犯サムターンを提供し、操作性の向上を図ることにある。
【００１０】
【課題を解決するための手段】
次に、上記の課題を解決するための手段を、実施の形態に対応する図面を参照して説明する。
この発明の請求項１記載の防犯サムターンは、錠箱機構部２１，１２１に回動操作力を入力するサムターン軸１１，１１１と、
該サムターン軸１１，１１１の前記錠箱機構部２１，１２１と反対側の端部に配設されるクラッチ１３，１１３と、
前記サムターン軸１１，１１１とクラッチ１３，１１３とを覆うとともに、該サムターン軸１１，１１１とクラッチ１３，１１３とを回動自在とし抜脱不能に支持して扉面側に固設される基台部２７，１２７と、
該サムターン軸１１，１１１の前記錠箱機構部２１，１２１と反対側の端部に同軸となって設けられ、前記基台部２７，１２７より延出する軸部３３，１３３と、
前記軸部３３，１３３に回転自在かつ軸線方向に移動自在となって抜脱不能に外挿され前記クラッチ１３，１１３との相対回転を阻止する係合手段６３，１６３を有した回転操作部材１５，１１５と、
該回転操作部材１５，１１５に取り付けられ前記軸部３３，１３３に係止して該回転操作部材１５，１１５の軸線方向の移動を規制するとともに摘み操作されることで該規制を解除して前記係合手段６３，１６３と前記クラッチ１３，１１３との係合を可能とする操作部１７，１１７と、
前記クラッチ１３，１１３と前記係合手段６３，１６３とが係合された状態を維持して前記回転操作部材１５，１１５と前記軸部３３，１３３とを連結状態とする保持手段１９，１１９と、
を具備したことを特徴とする。
【００１１】
請求項２記載の防犯サムターンは、錠箱機構部２１に回動操作力を入力するサムターン軸１１と、
該サムターン軸１１の前記錠箱機構部２１と反対側の端部に配設されるクラッチ１３と、
前記サムターン軸１１とクラッチ１３とを覆うとともに、該サムターン軸１１とクラッチ１３とを回動自在とし抜脱不能に支持して扉面側に固設される基台部２７と、
該サムターン軸１１の前記錠箱機構部２１と反対側の端部に同軸となって設けられ、前記基台部２７より延出する軸部３３と、
該軸部３３に形成される段部３５と、
前記軸部３３に回転自在かつ軸線方向に移動自在となって抜脱不能に外挿され前記クラッチ１３との相対回転を阻止する係合手段６３を有した回転操作部材１５と、
該回転操作部材１５に、該回転操作部材１５の軸線と直交方向に挿着されて摺動自在に取り付けられ前記段部３５に当接して該回転操作部材１５の前記クラッチ１３側への移動を規制するとともに摺動操作されることで該規制を解除して前記係合手段６３が係合する方向に前記回転操作部材１５の移動を可能とする摺動摘み１７と、
前記クラッチ１３と前記係合手段６３とが係合された状態を維持して前記回転操作部材１５と前記軸部３３とを連結状態とする保持手段１９と、
を具備したことを特徴とする。
【００１２】
請求項３記載の防犯サムターンは、錠箱機構部１２１に回動操作力を入力するサムターン軸１１１と、
該サムターン軸１１１の前記錠箱機構部１２１と反対側の端部に配設されるクラッチ１１３と、
前記サムターン軸１１１とクラッチ１１３とを覆うとともに、該サムターン軸１１１とクラッチ１１３とを回動自在とし抜脱不能に支持して扉面側に固設される基台部１２７と、
該サムターン軸１１１の前記錠箱機構部１２１と反対側の端部に同軸となって設けられ、前記基台部１２７より延出する軸部１３３と、
該軸部１３３に形成される段部１３５と、
前記軸部１３３に回転自在かつ軸線方向に移動自在となって抜脱不能に外挿され前記クラッチ１１３との相対回転を阻止する係合手段１６３を有した回転操作部材１１５と、
該回転操作部材１１５に、該回転操作部材１１５の軸線と直交方向の揺動軸１５３を介して揺動自在に取り付けられ前記段部１３５に当接して該回転操作部材１１５の前記クラッチ１１３側への移動を規制するとともに揺動操作されることで該規制を解除して前記係合手段１６３が係合する方向に前記回転操作部材１１５の移動を可能とする揺動摘み１１７と、
前記クラッチ１１３と前記係合手段１６３とが係合された状態を維持して前記回転操作部材１１５と前記軸部１３３とを連結状態とする保持手段１１９と、
を具備したことを特徴とする。
【００１３】
このような防犯サムターンでは、軸部３３，１３３に対して、回転操作部材１５，１１５が回動自在となり、これにより、針金や棒等を用いても、錠箱機構部２１，１２１への回転力の入力が阻止される。そして、その操作力を錠箱機構部２１，１２１へと伝達するには、操作部１７，１１７を摘み、操作部１７，１１７とともに回転操作部材１５，１１５を押しながら回転しなければならないため、針金により操作部１７，１１７を不正に操作しようとしても、回転操作部材１５，１１５が空転するのみとなる。すなわち、摘みながら押して回すという三つの動作を同時に行わなければならず、指による直接的な操作以外では操作が極めて困難となり、針金や棒を使用しての解錠が殆ど不可能となる。また、操作部１７，１１７を摘んで、回転操作する動作は、従来からのサムターンの操作と略同じとなり、それに新たに押す動作が加わるものの、手指による操作時ではこの押し動作は比較的容易に行えるので、違和感のない施解錠操作が可能となる。
【００１４】
また、回転操作部材１５，１１５に設けられた摺動摘み１７或いは揺動摘み１１７が段部３５，１３５に当接してクラッ１３，１１３側への移動が規制される一方、この摺動摘み１７或いは揺動摘み１１７が摺動若しくは揺動操作されることで、規制が解除されて、回転操作部材１５，１１５の移動が可能となる。これにより摺動摘み１７の摺動操作或いは揺動摘み１１７の揺動操作（すなわち、摘み操作）によって、回転操作部材１５，１１５を移動規制及び規制解除する機構が簡単な構造で実現可能となる。
【００１５】
また、保持手段１９，１１９により、クラッチ１３，１１３と係合手段６３，１６３とを係合状態で維持し、回転操作部材１５，１１５と軸部３３，１３３とを連結状態とすることで、上記した防犯状態を一時的に無効とすることができ、すなわち、回転操作部材１５，１１５とサムターン軸１１，１１１とを直結状態とすることができ、従来通りのサムターンによる施解錠操作と略同様の操作を行うことの可能な状態に切り換えることが可能となる。
【００１６】
請求項４記載の防犯サムターンは、請求項３記載の防犯サムターンであって、
前記回転操作部材１１５が略平板状の摘みを備え、前記揺動摘み１１７が平板状の摘み部１１７ｂを有し、該摘み部１１７ｂが前記摘みと略平行に取り付けられることを特徴とする。
【００１７】
この防犯サムターンでは、回転操作部材１１５を略平板状としたことで、施解錠の操作を行う際に、摘み易くなり、その操作性が向上する。
【００１８】
請求項５記載の防犯サムターンは、請求項１，２，３，４のいずれか１つに記載の防犯サムターンであって、
前記回転操作部材１５，１１５には、前記軸部３３，１３３の端部を表出させる貫通穴５７，１５７を有し、該貫通穴５７，１５７を介して、前記軸部３３，１３３の端部に前記保持手段１９，１１９が取り付けられることを特徴とする。
【００１９】
この防犯サムターンでは、貫通穴５７，１５７を有することで、その貫通穴５７，１５７を介し、軸部３３，１３３の端部に対して容易に保持手段１９，１１９を取り付けることが可能となり、上記した通常の防犯状態と、サムターンとして頻繁に使用する状態とで切り換えが可能なものとなる。
【００２０】
請求項６記載の防犯サムターンは、既存サムターン２２１の摘み２２２に被着され前記摘み２２２の回動中心と同軸の軸部２３３が突設されるクラッチ２１３と、
前記軸部２３３に回転自在かつ軸線方向に移動自在となって抜脱不能に外挿され前記クラッチ２１３との相対回転を阻止する係合手段２６３を有したクラッチカバー２１５と、
該クラッチカバー２１５に取り付けられ前記軸部２３３に係止して該クラッチカバー２１５の軸線方向の移動を規制するとともに摘み操作されることで該規制を解除して前記係合手段２６３と前記クラッチ２１３との係合を可能とする操作部２１７と、
前記クラッチ２１３と前記係合手段２６３とが係合された状態を維持して前記クラッチカバー２１５と前記軸部２３３とを連結状態とする保持手段２１９と、
を具備したことを特徴とする。
【００２１】
請求項７記載の防犯サムターンは、既存サムターン２２１の摘み２２２に被着される取付基台部２２７を有し該取付基台部２２７に、前記摘み２２２の回動中心と同軸の軸部２３３が突設されるクラッチ２１３と、
該クラッチ２１３の前記軸部２３３に形成された段部２３４と、
前記軸部２３３に回転自在かつ軸線方向に移動自在となって抜脱不能に外挿され前記取付基台部２２７を覆うとともに前記クラッチ２１３との相対回転を阻止する係合手段２６３を有したクラッチカバー２１５と、
該クラッチカバー２１５に、該クラッチカバー２１５の軸線と直交方向に挿着されて摺動自在に取り付けられ前記段部２３４に当接して該クラッチカバー２１５の前記クラッチ２１３側への移動を規制するとともに摺動操作されることで該規制を解除して前記係合手段２６３が係合する方向に前記クラッチカバー２１５の移動を可能とする摺動摘み２１７と、
前記クラッチ２１３と前記係合手段２６３とが係合された状態を維持して前記クラッチカバー２１３と前記軸部２３３とを連結状態とする保持手段２１９と、
を具備したことを特徴とする。
【００２２】
請求項８記載の防犯サムターンは、既存サムターンの摘みに被着される取付基台部を有し該取付基台部に、前記摘みの回動中心と同軸の軸部が突設されるクラッチと、
該クラッチの前記軸部に形成された段部と、
前記軸部に回転自在かつ軸線方向に移動自在となって抜脱不能に外挿され前記取付基台部を覆うとともに前記クラッチとの相対回転を阻止する係合手段を有したクラッチカバーと、
該クラッチカバーに、該クラッチカバーの軸線と直交方向の揺動軸を介して揺動自在に取り付けられ前記段部に当接して該クラッチカバーの前記クラッチ側への移動を規制するとともに揺動操作されることで該規制を解除して前記係合手段が係合する方向に前記クラッチカバーの移動を可能とする揺動摘みと、
前記クラッチと前記係合手段とが係合された状態を維持して前記クラッチカバーと前記軸部とを連結状態とする保持手段と、
を具備したことを特徴とする。
【００２３】
このような防犯サムターン２１０では、既存サムターン２２１の摘み２２２がクラッチ２１３で覆われ、このクラッチ２１３がさらにクラッチカバー２１５で覆われるので、針金や棒等を用いても、滑りにより回転力の入力が阻止される。そして、摺動摘み２１７や揺動摘みなど操作部の操作力を既存サムターン２２１の摘み２２２に伝達するには、摺動摘み２１７或いは揺動摘みなど操作部を摘み、操作部２１７とともにクラッチカバー２１５を押しながら回転しなければならないため、針金により操作部２１７を不正に操作しようとしても、クラッチカバー２１５が空転するのみとなる。すなわち、摘みながら押して回すという三つの動作を同時に行わなければならず、指による直接的な操作以外では操作が極めて困難となり、針金や棒を使用しての解錠が殆ど不可能となる。また、操作部２１７を摘んで、回転操作する動作は既存サムターンの摘みと略同じとなり、それに新たに押す動作が加わるものの、手指による操作時ではこの押し動作は比較的容易に行えるので、違和感のない施解錠操作が可能となる。
【００２４】
また、クラッチカバー２１５に設けられた摺動摘み２１７或いは揺動摘みが段部２３４に当接してクラッチ２１３側への移動が規制される一方、この摺動摘み２１７或いは揺動摘みが摺動若しくは揺動操作されることで、規制が解除されて、クラッチカバー２１５の移動が可能となる。これにより摺動摘み２１７の摺動操作或いは揺動摘みの揺動操作（すなわち、摘み操作）によって、クラッチカバー２１５を移動規制及び規制解除する機構が簡単な構造で実現可能となる。
【００２５】
また、保持手段２１９により、クラッチ２１３と係合手段２６３とを係合状態で維持し、クラッチカバー２１５と軸部２３３とを連結状態とすることで、上記した防犯状態を一時的に無効とすることができ、すなわち、クラッチカバー２１５と既存サムターン２２１とを直結状態とすることができ、従来通りのサムターンによる施解錠操作と略同様の操作を行うことの可能な状態に切り換えることが可能となる。
【００２６】
請求項９記載の防犯サムターンは、請求項８記載の防犯サムターンであって、
前記揺動摘みが平板状の摘み部を有することを特徴とする。
【００２７】
この防犯サムターンでは、揺動摘みの平板状の摘み部により既存サムターンの施解錠状態が一目瞭然となり、所望の操作前に、クラッチカバーを一旦回して既存サムターンの施解錠状態を確認するなどの動作が不要になり、操作性が向上する。
【００２８】
請求項１０記載の防犯サムターンは、請求項６，７，８，９のいずれか１つに記載の防犯サムターンであって、
前記クラッチカバー２１５には、前記軸部２３３の端部を表出させる貫通穴２５７を有し、該貫通穴２５７を介して、前記軸部２３３の端部に前記保持手段２１９が取り付けられることを特徴とする。
【００２９】
この防犯サムターンでは、貫通穴２５７を有することで、その貫通穴２５７を介し、軸部２３３の端部に対して容易に保持手段２１９を取り付けることが可能となり、上記した通常の防犯状態と、サムターンとして頻繁に使用する状態とで切り換えが可能なものとなる。
【００３０】
請求項１１記載の防犯サムターンは、請求項５又は１０記載の防犯サムターンであって、
前記軸部の表出する先端面に回転位置表示手段４１，１４１，２４１が設けられていることを特徴とする。
【００３１】
この防犯サムターンでは、回転自在な回転操作部材１５，１５１により施錠状態或いは解錠状態の錠箱機構部２１，１２１内の視認できなくなった状態、或いは、クラッチカバー２１５等で覆われることで視認できなくなった摘み２２２の回転位置が、回転位置表示手段４１，１４１，２４１を介して知ることができ、操作性を向上させることができる。
【００３２】
請求項１２記載の防犯サムターンは、請求項５又は１０又は１１記載の防犯サムターンであって、
前記貫通穴５７，１５７，２５７には、開口を閉塞するキャップ６１が取り付けられることを特徴とする。
【００３３】
この防犯サムターンでは、回転操作部材１５，１１５或いはクラッチカバー２１５に形成される貫通穴５７，１５７，２５７をキャップ６１により閉塞でき、これにより、不要な凹凸などを防ぐことができ、すなわち、針金や棒などを用いても、滑ることとなる。
【００３４】
請求項１３記載の防犯サムターンは、請求項１２記載の防犯サムターンであって、
前記キャップ６１は、透明部材よりなることを特徴とする。
【００３５】
この防犯サムターンでは、キャップ６１にて閉塞された貫通穴５７，１５７，２５７を、透明な部材とすることで貫通穴５７，１５７，２５７の奥方を視認でき、これにより、例えば、軸部３３，１３３，２３３の端部に回転位置表示手段４１，１４１，２４１が構成されている場合に、これを確認することが可能となる。
【００３６】
【発明の実施の形態】
以下、本発明に係る防犯サムターンの好適な実施の形態を図面を参照して詳細に説明する。
【００３７】
第一の実施の形態
まず、第一の実施の形態について説明する。
図１は本発明に係る防犯サムターンの第一の実施の形態の一部を切り欠いた分解側面図、図２は図１に示した防犯サムターンの一部拡大分解斜視図、図３は図１に示した防犯サムターンにおける通常時の縦断面図、図４は図１に示した防犯サムターンの正面図、図５は図１に示した防犯サムターンの通常時の横断面図、図６は図１に示した防犯サムターンにおける操作時の縦断面視を表した動作説明図、図７（ａ）（ｂ）は図１に示した防犯サムターンにおける操作切換時の縦断面視を表した動作説明図である。
【００３８】
この第一の実施の形態による防犯サムターン１０は、その主要な構成として、図１に示すサムターン軸１１と、クラッチ１３と、回転操作部材１５と、操作部としての摺動摘み１７と、保持手段１９とを有している。
【００３９】
サムターン軸１１は、施解錠装置の機構部分である錠箱機構部２１に装着されて連結され、この錠箱機構部２１に回動操作力を入力する。錠箱機構部２１は、例えば扉２３の戸先側に配設され、室外側にシリンダ錠２５が連結される。本実施の形態では、この錠箱機構部２１は、図１に示すように扉２３の室内面２３ａに設けられている例で説明する。
サムターン軸１１は、本実施の形態では、先端が錠箱機構部２１に連結される。このサムターン軸１１の先端部分は、錠箱機構部２１を覆う基台部２７に回転自在に取り付けられるとともに、その先端には、カム板２９などが連結されており、抜脱不能に、かつ回転自在に取り付けられる。そして、錠箱機構部２１内に回動操作力を入力し、これにより、図４に示すような杆形状のデッドボルト２９或いは鎌形状のデッドボルト３０を進退させる。
【００４０】
基台部２７は、本実施の形態では、図１及び図４に示すように、略方形箱状に形成され、室内側扉面２３ａに位置する化粧枠を兼ねるように構成される。そして、この基台部２７と錠箱機構部２１とは、錠箱機構部２１が固定ネジなどの固定手段２２にて扉面２３ａに固定され、この錠箱機構部２１表面を覆うように基台部２７が固定される。なお、この基台部２７には、サムターン軸１１を囲繞するように、カラー部２８が突出形成されている。
【００４１】
クラッチ１３は、本実施の形態では、サムターン軸１１と一体に構成され、このサムターン軸１１の錠箱機構部２１とは反対側となる端部に設けられている。また、クラッチ１３の構成されるサムターン軸１１の端部には、後述する軸部３３を取り付ける雌ねじ部３１が形成されている。
【００４２】
また、このクラッチ１３のサムターン軸１１側外周面には、後述する付勢手段を支持するフランジ部３２が設けられている。
【００４３】
軸部３３は、基端に雄ねじ部３４が形成されている。この雄ねじ部３４は、サムターン軸１１端部の雌ねじ部３１に螺着されることで、このサムターン軸１１と一体構成となる。また、軸部３３の先端外周面には段部３５が形成されている。段部３５は、先端側の小径部３６とフランジ状の大径部３７とが連設されることで形成されている。この段部３５は、後述の説明で明らかとなるように、摺動摘み１７が当接し、回転操作部材１５の軸線方向の移動を規制するものとなる。また、軸部３３の先端面には、中央に、雌ねじ部３９が形成が形成される。この雌ねじ部３９は、後述する保持手段１９が取り付けられる。さらに、この軸部３３の先端面には、十字形又は−字形の溝３３ａが形成されている。この溝３３ａは、サムターン軸１１との組み付けに用いられるほか、回転位置表示手段４１を兼ねる。
【００４４】
クラッチ１３は、外周面に、クラッチ側係合手段４３を有している。クラッチ側係合手段４３は、外周面を軸線方向に沿った複数の歯４４を等間隔で配設してなる。このクラッチ側係合手段４３は、回転操作部材１５に設けられる後述の操作部材側係合手段６３に噛合する。
【００４５】
回転操作部材１５は、本実施の形態では、図１，２に示すように、基端部１５Ａと先端部１５Ｂとの２分割構造とされている。基端部１５Ａは、略円筒形状に形成され、先端部１５Ｂは表面が略球面状の湾曲面とされた略円板状に形成される。これら基端部１５Ａと先端部１５Ｂとは、固定手段にて一体に連結される。本実施の形態では、この固定手段として、先端部１５Ｂに突設された一対の鉤爪４７と、これに係止する基端部１５Ａに穿設された係止穴部４８とで構成され、基端部１５Ａに対して先端部１５Ｂを圧入することで一体に組み立てられる。これら部材１５Ａ，１５Ｂよりなる回転操作部材１５は、このような略円形状となることで、針金等による引っ掛かりが防止できるようになっている。なお、互いを連結する固定手段はネジなどとしてもよく、この場合、基端部１５Ａ内より螺着し、表面にはネジ頭が表出しない構成が好ましい。
【００４６】
基端部１５Ａは、内部が中空となり、後端がフレア部５１となって筒状に延出形成されている。基端部１５Ａの先端側には、中央に貫通穴５３が形成され、軸部３３が貫通し回動自在に外挿される。また、この貫通穴５３には先端側に大径となる段部５５が形成され、軸部３３の段部３５の大径部３７の後端に当接となる。先端部１５Ｂは、中央に貫通穴５７が形成され軸部３３の先端が進退自在な逃げとなっているとともに、先端部１５Ｂ表面からこの貫通穴５７を通して軸部３３の先端が覗けるようになっている。そして、この軸部３３に外挿されたこれら基端部１５Ａと先端部１５Ｂとで、軸部３３からの抜脱が規制される。なお、先端部１５Ｂの貫通穴３３は、図１に示すように、基端部１５Ａ側の開口径に対して表面側の開口径が段部５９を介して小径に形成されるとともに、表面側の内周面に係止段部６０を有している。そして、この貫通穴５７には、後述する保持手段１９が表面側から挿通されるようになっているとともに、その開口にキャップ６１を取り付け可能としている。
【００４７】
ここで、基端部１５Ａの貫通穴５３は、軸部３３の軸線方向に移動自在に外挿となる。つまり、回転操作部材１５は、軸部３３に対して回転自在かつ軸線方向に移動自在となって軸部３３の段部３５によって抜脱不能に外挿されている。
基端部１５Ａは内部に係合手段としての操作部材側係合手段６３を有している。操作部材側係合手段６３は、複数の歯６４を貫通穴５３の内周面に、軸線方向に沿って、周方向に等間隔で配設してなる。この操作部材側係合手段６３は、上記したクラッチ側係合手段４３に噛合可能となっている。
【００４８】
回転操作部材１５は、上記のように基端部１５Ａと先端部１５Ｂのそれぞれの貫通穴５３，５７により軸部３３に抜脱不能に外挿されて取り付けられる。このようにして取り付けられたクラッチ１３と回転操作部材１５との間には付勢手段である圧縮バネ６５が配設され、圧縮バネ６５は回転操作部材１５を軸部３３の突出方向に付勢する。したがって、回転操作部材１５は、押すことにより、圧縮バネ６５の付勢力に抗してクラッチ１３に接近する方向（図１の右方向）に移動される。クラッチ１３と回転操作部材１５とは、この押込みにより、クラッチ側係合手段４３と操作部材側係合手段６３とが噛合して、相対回転が規制されるようになっている。
【００４９】
回転操作部材１５は、圧縮バネ６５によって付勢された位置で、図３，５に示すように、フレア部５１によって基台部２７のカラー部２８外周を覆うようになっている。つまり、フレア部５１と基台部２７とは、図１に示すように、オーバーハングしている。
【００５０】
回転操作部材１５には、回転操作部材１５の軸線と直交方向に摺動自在となった操作部としての一対の摺動摘み１７，１７が取り付けられている。この摺動摘みは、先端部１５Ｂの基端側１５Ａ面に凹設された摺動溝６７内に配設される。摺動溝３７は、先端部１５Ｂ中央の貫通穴５７に連通し、この貫通穴５７に対して半径方向外側に向いて対となって形成され、基端部１５Ａの先端側端面との間で略管状の空間を形成する。すなわち、これら摺動摘み１７，１７は先端部１５Ｂと基端部１５Ａとに挟持されるように配設される。摺動摘み１７，１７は、図２，４に示すように、略コ字状に形成され、一端が係合部１７ａとされ、他端が操作部１７ｂとなっている。操作部１７ｂは、外側面が湾曲形成され回転操作部材１５の外周面に表出し、中途部分が軸部３３の半部をオーバーハングして、係合部１７ａが操作部１７ｂに対して軸部３３を挟み反対側に延出するように取り付けられる。
【００５１】
一対の摺動摘み１７，１７は、各摺動溝６７内を軸部３３の軸線方向に対して直交する方向に摺動するとともに、摺動溝６７内に形成される取付凹部６８との間に装着される圧縮バネ６９によって、各操作部１７ｂが互いに離反方向に付勢されている。したがって、通常時、摺動摘み１７の係合部１７ａは、軸部３３先端の小径部３６に当接し、互いで挟持した状態となって段部３５に当接し、回転操作部材１５のクラッチ１３側への移動を規制している。また、この状態で、各操作部１７ｂが回転操作部材１５の外周面からやや突出して位置する（図４参照）。
【００５２】
一方、摺動摘み１７，１７は、操作部１７ｂ，１７ｂ同士が接近する方向に摘まれ摺動されることで、係合部１７ａ，１７ａが軸部３３から離反し、段部３５と当接状態でなくなる。つまり、回転操作部材１５の軸線方向の移動規制が解除されるようになっている。これにより、回転操作部材１５は、図６に示すように、操作部材側係合手段６３がクラッチ側係合手段４３に係合する方向に押込み可能となる。
【００５３】
なお、図２，４，５に示すように、基端部１５Ａ及び先端部１５Ｂの外周面における各摺動溝６７の開口部分の周囲には、連続した平坦に近い凹面７１が形成され、回転操作部材１５自体を摘み易くしているとともに、各摺動摘み１７の操作部１７ｂが凹面７１より突出し、これら操作部１７ｂの摘み操作を行いやすくしている。
また、本実施の形態では、摺動摘み１７，１７が二つ設けられる場合を例に説明しているが、本発明に係る防犯サムターン１０は、摺動摘み１７を一つとしても同様の作用を奏するものである。
【００５４】
また、回転操作部材１５の先端部１５Ｂには、通常時、キャップ６１が装着されている。キャップ６１は、例えば樹脂素材とされ、表面が略球面状に形成されるとともに、裏面に係止爪６１ａを備えている。そして、先端部１５Ａの貫通穴５７に、係止爪６１ａを段部６０に係合させ、先端部１５Ａ表面から着脱自在に取り付けられる。なお、このキャップ６１は、好ましくは透明な樹脂素材などで構成され、回転操作部材１５の正面側から貫通穴５７内を視認可能とし、貫通穴５７の奥方に位置する軸部３３先端面が目視可能とされる。
【００５５】
保持手段としての保持部材１９は、本実施の形態では、図１に示すように、一端に頭部１９ａを有した雄ねじよりなる螺子部材で構成される。この保持部材１９は、上記したキャップ６１に換え、回転操作部材１５の表面から貫通穴５７を通して軸部３３に形成された雌ねじ部３９に螺着される。この保持部材１９の螺着は、上述したクラッチ側係合手段４３と操作部材側係合手段６３とを互いに噛み合わせた状態でのみ螺着でき、この螺着により、これら係合手段４３，６３の係合状態を維持するようになっている。なお、この保持部材１９は、頭部１９ａを球面状に形成することが好ましく、また例えば六角孔付き頭部などとしてもよい。
【００５６】
次に、このような構成の防犯サムターン１０の動作を説明する。
防犯サムターン１０は、通常時、回転操作部材１５が回転自在となる。その一方、回転操作部材１５は、摺動摘み１７の係合部１７ａが段部３５に当接していることで、軸線方向には移動（押込み）不能となる（図４，５参照）。なお、この通常時の操作状態では、回転操作部材１５の先端部１５Ｂには、キャップ６１が貫通穴５７に装着され閉塞された状態とされる。
【００５７】
解錠操作時には、摺動摘み１７，１７を摘む。すると、摺動摘み１７の係合部１７ａが段部３５から外れ、回転操作部材１５の移動規制が解除されて、クラッチ１３に接近する方向への移動、すなわち押込みが可能となる。この状態で、摺動摘み１７を摘みながら、回転操作部材１５を押込むと、回転操作部材１５の操作部材側係合手段６３が、クラッチ１３のクラッチ側係合手段４３に噛合して、回転操作部材１５とクラッチ１３との相対回転が規制されて、回転操作部材１５の回転操作力がクラッチ１３へ伝達可能となる。
【００５８】
すなわち、摺動摘み１７を摘みながら回転操作部材１５を押込み、さらに回転操作部材１５を解錠方向に回転することで、クラッチ１３が回転され、クラッチに連結されたサムターン軸１１が回転し、錠箱機構部２１へ解錠操作力が入力される。
【００５９】
施錠方法は、この解錠方法と同様にして行うことができる。
【００６０】
このように、上記した防犯サムターン１０によれば、回転操作部材１５の外表面が円形であり、また、軸部３３に対して、回転操作部材１５が回動自在となり、これにより、針金や棒等を用いても、滑りにより回転力の入力が阻止される。そして、摺動摘み１７の操作力を錠箱機構部２１へと伝達するには、摺動摘み１７を摘み、摺動摘み１７とともに回転操作部材１５を押しながら回転しなければならないため、針金により摺動摘み１７を不正に操作しようとしても、回転操作部材１５が空転するのみとなる。
すなわち、摘みながら押して回すという三つの動作を同時に行わなければならず、指による直接的な操作以外では操作が極めて困難となり、針金や棒を使用しての解錠が殆ど不可能となる。また、摺動摘み１７を摘んで、回転操作する動作は従来からのサムターンの操作と略同じとなり、それに新たに押す動作が加わるものの、手指による操作時ではこの押し動作は比較的容易に行えるので、違和感のない施解錠操作が可能となる。
【００６１】
また、回転操作部材１５に設けられた摺動摘み１７が段部３５に当接してクラッチ１３側への移動が規制される一方、この摺動摘み１７が摺動操作されることで、規制が解除されて、回転操作部材１５の移動が可能となる。これにより摺動摘み１７の摺動操作（すなわち、摘み操作）によって、回転操作部材１５を移動規制及び規制解除する機構が簡単な構造で実現可能となる。
【００６２】
さらに、回転操作部材１５の手前側である表面に、透明部材よりなるキャップ６１を設けたことで、サムターン軸１１に連結される軸部３３の端面が視認できることから、この軸部端面に設けられた回転位置表示手段４１を容易に視認でき、このことから、錠箱機構部２１の施解錠状態が確認でき、その操作性を向上することが可能となる。
【００６３】
次に、上記した防犯性を得る通常の操作状態から、常時サムターン軸１１の回転を可能とする状態、すなわち、施解錠の操作が頻繁に行われる場合や、防犯性を一時的に無効にしたい場合などの際について説明する。
このような常時施解錠操作可能な状態とするには、まず、回転操作部材１５の表面に取り付けられているキャップ６１を取り除く（図７（ａ）参照）。次に、キャップ６１を取り除かれた回転操作部材１５の先端部１５Ｂの貫通穴５７に、保持部材１９を貫通させ、軸部３３の雌ねじ部３９に螺着させる。この螺着は、上記した施解錠操作時と同様に、摺動摘み１７を摘み、回転操作部材１５を押込み移動させて行う。すなわち、回転操作部材１５の操作部材側係合手段６３を、クラッチ１３のクラッチ側係合手段４３に噛合させ、軸部３３の先端と貫通穴５７とを近接状態とし、回転操作部材１５とクラッチ１３との相対回転の規制状態とさせ、その状態で保持部材１９を螺着させる。この保持部材１９の螺着により、図７（ｂ）に示すように、保持部材１９の頭部１９ａが貫通穴５７の段部６０に係止し、軸部３３に対する回転操作部材１５の先端部１５Ｂの近接状態を保持して各係合手段４３，６３の係合状態が維持される。
【００６４】
従って、このように保持部材１９を取り付けた状態とすることで、回転操作部材１５とクラッチ１３とが常時、相対回転を規制された状態であり、すなわち回転操作部材１５とサムターン軸１１とが直結状態となる。このことから、回転操作部材１５の回転が、両係合手段４３，６３を介してサムターン軸１１に伝達され、従って、回転操作部材１５の回転操作が錠箱機構部２１に対して回転操作力として入力されることとなる。
そして、このような保持部材１９による直結状態により、従来同様に簡便な施解錠が行えるサムターンとなる。
【００６５】
また、上記したような、常時施解錠操作可能な状態から、上述した防犯性を得る通常の状態へと戻すには、保持部材１９を取り除くことで、クラッチ１３と回転操作部材１５との間に配設された圧縮バネ６５の付勢力により、回転操作部材１５が軸部３３の突出方向に付勢されて、上述した通常の状態に復帰する。なお、回転操作部材１５には、キャップ６１を取り付け、貫通穴５７開口を閉塞させる。
【００６６】
第二の実施の形態
次に第二の実施の形態について説明する。
図８は本発明に係る防犯サムターンの第二の実施の形態の一部を切り欠いた分解平断面図、図９（ａ）は図８に示した防犯サムターンにおける通常時の正面図、図９（ｂ）は同側断面図、図１０は図８に示した防犯サムターンにおける操作時の平断面視を表した動作説明図、図１１は図８に示した防犯サムターンにおける操作切換時の平断面視を表した動作説明図である。
【００６７】
この第二の実施の形態の防犯サムターン１１０は、その主要な構成として、図８に示すサムターン軸１１１と、クラッチ１１３と、回転操作部材１１５と、操作部としての揺動摘み１１７と、保持手段１１９とを有している。
【００６８】
サムターン軸１１１は、施解錠装置の機構部分である錠箱機構部１２１に装着されて連結され、この錠箱機構部１２１に回動操作力を入力する。錠箱機構部１２１は、例えば扉１２３の戸先側に内設され、室外側にシリンダ錠（図示せず）が連結される。
サムターン軸１１１は、断面略十字形に形成され、先端が錠箱機構部１２１に挿着され、基端には連結カラー１２４が連結される。連結カラー１２４は、扉面１２３ａに固定される基台部１２７及び座金部材１２９に、Ｅリングなどの抜止部材１２４ａを介して、抜脱不能に取り付けられ、かつ回転自在に支持されて取り付けられる。
【００６９】
基台部１２７は、正面視で図９に示すように、略小判状に形成され、室内側扉面１２３ａに配置される化粧リングを兼ねるように構成される。そして、この基台部１２７と座金部材１２９とは、固定ネジなどの固定手段１２２にて扉面１２３及び錠箱機構部１２１に固定される。
基台部１２７の略中央下部には、支持穴１３０が貫通形成され、上記連結カラー１２４が回転自在に配置される。
【００７０】
クラッチ１１３は、サムターン軸１１１の錠箱機構部１２１とは反対側となる端部に設けられる。クラッチ１１３は、連結基部１３１を有し、この連結基部１３１が上記連結カラー１２４に連結され、サムターン軸１１１と略一体となる。
クラッチ１１３は、連結基部１３１の突出する面と反対側の面に、クラッチ側係合手段１４３を有している。クラッチ側係合手段１４３は、周縁を軸線方向に突出させた複数の歯１４４を円周方向に等間隔で配設してなる。このクラッチ側係合手段１４３は、回転操作部材１１５に設けられる後述の操作部材側係合手段１６３に噛合する。
また、このクラッチ１１３には、面１１３ａにサムターン軸１１１の回動中心と同軸の軸部１３３が延設される。
本実施の形態では、連結基部１３１とともに貫通する取付穴１１３ｂを介し、連結基部１３１側から螺着される固定ネジなどの固定手段１３２にて、クラッチ１１３と軸部１３３が略一体となる。
【００７１】
軸部１３３は、真直な軸状部材で、中途部にはフランジ部１３４が形成される。フランジ部１３４の先端側段部１３５は、後述の説明で明らかとなるように、揺動摘み１１７が当接し、回転操作部材１１５の軸線方向の移動を規制するものとなる。また、フランジ部１３４の基端側段部１３６は、回転操作部材１１５の段部１３７に当接し、回転操作部材１１５を抜脱不能に規制するものとなる。
【００７２】
軸部１３３の先端は、後述する回転操作部材１１５を貫通して表出し、その先端面１３３ａには、回転位置表示手段１４１が設けられる。この回転位置表示手段１４１は、微小な凹凸による標示、印刷や刻印、或いは部分的な着色による色分け等とされる。例えば、図９（ａ）に示すように、解錠時では回転位置表示手段１４１は縦長状とされており、施錠する場合、すなわち、時計回りに９０度回転させると、横長状となり、解錠時と施錠時とが容易に識別可能となっている。また、この軸部１３３の先端外周面には、雄ねじが形成され、雄ねじ部１３９となっている。
【００７３】
回転操作部材１１５は、略矩形枠状の挟持部１４５を備え、基部に略円筒形状の連結部１４６が形成される。回転操作部材１１５の連結部１４６は、筒状の被覆部１５１が外周に設けられ、基台部１２７に形成される筒状支持部１２８に外挿される。また連結部１４６は、軸部１３３に回動自在に外挿される。連結部１４６には、挟持部１４５側に段部１３７が形成され軸部１３３の基端側段部１３６に当接し、これにより、この連結部１４６が軸部１３３からの抜脱が規制され軸部１３３の基端側で軸線方向に移動自在となる。つまり、回転操作部材１１５は、軸部１３３に対して回転自在かつ軸線方向に移動自在となって抜脱不能に外挿されている。
なお、回転操作部材１１５は、挟持部１４５が、図９（ｂ）に示すように、一側が開放した略コ字状の挟持部本体１４５ａと、この開放部分を閉じる前端板１４５ｂとで構成される。そして、この前端板１４５ｂは挟持部本体１４５ｂにネジなどの固定手段１４７にて固定される。前端板１４５ｂの中央には貫通穴１５７が穿設されている。この貫通穴１５７は、軸部１３３の先端が貫通し、通常の状態では、その先端面が面一となって位置する。
【００７４】
回転操作部材１１５は連結部１４６の基端面側に操作部材側係合手段１６３を有している。操作部材側係合手段１６３は、複数の歯１６４を連結部１４６と同一中心の円周方向に等間隔で配設してなる。この操作部材側係合手段１６３は、上記したクラッチ側係合手段１４３に噛合可能となっている。
【００７５】
回転操作部材１１５は、上記のように軸部１３３に抜脱不能に外挿されて取り付けられる。このようにして取り付けられたクラッチ１１３と回転操作部材１１５との間には付勢手段である圧縮バネ１６５が配設され、圧縮バネ１６５は回転操作部材１１５を軸部１３３の突出方向に付勢する。したがって、回転操作部材１１５は、押すことにより、圧縮バネ１６５の付勢力に抗してクラッチ１１３に接近する方向（図８の右方向）に移動される。クラッチ１１３と回転操作部材１１５とは、この押込みにより、クラッチ側係合手段１４３と操作部材側係合手段１６３とが噛合して、相対回転が規制されるようになっている。
【００７６】
回転操作部材１１５は、圧縮バネ１６５によって付勢された位置で、被覆部１５１によって基台部１２７の筒状支持部１２８を覆うようになっている。つまり、被覆部１５１と筒状支持部１２８とは、に示すように、オーバーハングしている。
【００７７】
回転操作部材１１５には、回転操作部材１１５の軸線と直交方向の揺動軸１５３を介して揺動自在となった操作部としての一対の揺動摘み１１７が取り付けられている。すなわち、枠状に形成される挟持部１４５の中空部分に揺動摘み１１７が位置し、これら挟持部１４５と各揺動摘み１１７とで略矩形平板状の摘み形状となる。揺動摘み１１７は、揺動軸１５３を挟み一端が揺動端１１７ａとなり、他端が平板状の摘み部１１７ｂとなっている。
【００７８】
一対の揺動摘み１１７は、枠状の挟持部１４５の内方に配設された圧縮バネ１５５によって摘み部１１７ｂ同士が離反方向に付勢されている。したがって、通常時、揺動摘み１１７の揺動端１１７ａは、軸部１３３先端側を挟持した状態となって段部１３５に当接し、回転操作部材１１５のクラッチ１１３側への移動を規制している。
【００７９】
一方、揺動摘み１１７は、摘み部１１７ｂ同士が接近する方向に摘まれることで、揺動端１１７ａが離反し、段部１３５と当接状態でなくなる。つまり、回転操作部材１１５の移動規制が解除されるようになっている。これにより、回転操作部材１１５は、図１０に示すように、操作部材側係合手段１６３がクラッチ側係合手段１４３に係合する方向に押込み可能となる。
【００８０】
なお、本実施の形態では、揺動摘み１１７が二つ設けられる場合を例に説明しているが、本発明に係る防犯サムターン１１０は、揺動摘み１１７を一つとしても同様の作用を奏するものである。
【００８１】
保持手段としての保持部材１１９は、この第二の実施の形態では、図１に示すように、雌ねじよりなる螺子部材で構成される。この保持部材１１９は、回転操作部材１１５の前面となる前端板１４５ｂの表面より貫通穴１５７を通して突出する軸部１３３先端に形成された雄ねじ部１３９に螺着される。この保持部材１１９の螺着は、上述したクラッチ側係合手段１４３と操作部材側係合手段１６３とを互いに噛み合わせた状態でのみ螺着でき、この螺着により、これら係合手段１４３，１６３の係合状態を維持するようになっている。なお、この保持部材１１９は、略ナット状に形成されてもよく、或いは平板状に形成されて略中央に雌ねじ穴を有する構成や、図１に示すような表面側を略球面状に形成するものなどとしてもよい。
【００８２】
次に、このような構成の防犯サムターン１１０の動作を説明する。
防犯サムターン１１０は、通常時、回転操作部材１１５が回動自在となる。その一方、回転操作部材１１５は、揺動摘み１１７の揺動端１１７ａが段部１３５に当接していることで、軸線方向には移動（押込み）不能となる。
【００８３】
解錠操作時には、揺動摘み１１７を摘む。すると、揺動摘み１１７の揺動端１１７ａが段部１３５から外れ、回転操作部材１１５の移動規制が解除されて、クラッチ１１３に接近する方向への移動、すなわち押込みが可能となる。この状態で、揺動摘み１１７を摘みながら、回転操作部材１１５を押込むと、回転操作部材１１５の操作部材側係合手段１６３が、クラッチ１１３のクラッチ側係合手段１４３に噛合して、回転操作部材１１５とクラッチ１１３との相対回転が規制されて、回転操作部材１１５の回転操作力がクラッチ１１３へ伝達可能となる。
【００８４】
すなわち、揺動摘み１１７を摘みながら回転操作部材１１５を押込み、さらに回転操作部材１１５を解錠方向に回転することで、クラッチ１１３が回転され、クラッチ１１３に連結されたサムターン軸１１１が回転し、錠箱機構部１２１へ施錠操作力が入力される。
【００８５】
施錠方法は、この解錠方法と同様にして行うことができる。
【００８６】
このように、上記したこの防犯サムターン１１０によれば、軸部１３３に対して、回転操作部材１１５が回動自在となり、これにより、針金や棒等を用いても、錠箱機構部１２１への回転力の入力が阻止される。そして、その操作力を錠箱機構部１２１へと伝達するには、揺動摘み１１７を摘み、揺動摘み１１７とともに回転操作部材１１５を押しながら回転しなければならないため、針金により揺動摘み１１７を不正に操作しようとしても、回転操作部材１１５が空転するのみとなる。
すなわち、摘みながら押して回すという三つの動作を同時に行わなければならず、指による直接的な操作以外では操作が極めて困難となり、針金や棒を使用しての解錠が殆ど不可能となる。また、揺動摘み１１７を摘んで、回転操作する動作は、従来からのサムターンの操作と略同じとなり、それに新たに押す動作が加わるものの、手指による操作時ではこの押し動作は比較的容易に行えるので、違和感のない施解錠操作が可能となる。
【００８７】
また、回転操作部材１１５に設けられた揺動摘み１１７が段部１３５に当接してクラッチ１１３側への移動が規制される一方、この揺動摘み１１７が揺動操作されることで、規制が解除されて、回転操作部材１１５の移動が可能となる。これにより揺動摘み１１７の揺動操作（すなわち、摘み操作）によって、回転操作部材１１５を移動規制及び規制解除する機構が簡単な構造で実現可能となる。
【００８８】
さらに、回転操作部材１１５の手前側の端面となる挟持部１４５の前端板１４５ｂ中央に、サムターン軸１１１に連結される軸部１３３の先端面１３３ａが表出し、その先端面１３３ａに回転位置表示手段１４１を設けたので、錠箱機構部１２１での施解錠状態が一目瞭然となり、施解錠状態の確認を行うことができ、そして、操作性を向上させることができる。
【００８９】
また、この防犯サムターン１１０によれば、錠箱機構部１２１側の施錠状態及び解錠状態を軸部先端面１３３ａの回転位置表示手段１４１にて容易に視認できることから、実際に施錠操作或いは解錠操作を行う回転操作部材１１５の軸部１３３に対する傾き角度位置について、既存のサムターンのように水平状態或いは垂直状態に固定されることがなく、例えば施解錠操作範囲の回転角度が９０度であったとしても、任意の位置から９０度回転操作を行うことで施錠或いは解錠とすることができ、施解錠を操作する操作者にとって摘み易い角度位置から施錠或いは解錠へと回転操作を行うことが可能となる。
【００９０】
次に、上記した防犯性の得られる通常の操作状態から、常時サムターン軸１１１の回転を可能とする状態、すなわち、施解錠の操作が頻繁に行われる場合や、防犯性を一時的に無効にしたい場合などの際について説明する。
このような常時施解錠操作可能な状態とするには、まず、上記した施解錠操作時と同様に、揺動摘み１１７を摘み、回転操作部材１１５を押込み移動させる。すなわち、回転操作部材１１５の操作部材側係合手段１６３を、クラッチ１１３のクラッチ側係合手段１４３に噛合させ、回転操作部材１１５とクラッチ１１３との相対回転の規制状態とし、軸部１３３の先端を貫通穴１５７から突出状態とさせて、その状態で軸部先端に保持部材１１９を螺着させる。この保持部材１１９の螺着により、図１１に示すように、保持部材１１９の縁部１１９ａが前端板１４５ｂの貫通穴１５７の周囲の表面に係止し、軸部１３３に対する回転操作部材１１５の移動状態を保持して各係合手段１４３，１６３の係合状態が維持される。
【００９１】
従って、このように保持部材１１９を取り付けた状態とすることで、回転操作部材１１５とクラッチ１１３とが常時、相対回転を規制された状態であり、すなわち回転操作部材１１５とサムターン軸１１１とが直結状態となる。このことから、回転操作部材１１５の回転が、両係合手段１４３，１６３を介してサムターン軸１１１に伝達され、従って、回転操作部材１１５の回転操作が錠箱機構部１２１に対して回転操作力として入力されることとなる。
そして、このような保持部材１１９による直結状態により、従来同様に簡便な施解錠が行えるサムターンとなる。
また、上記したような、常時施解錠操作可能な状態から、上述した防犯性を得る通常の状態へと戻すには、保持部材１１９を取り除くことで、クラッチ１１３と回転操作部材１１５との間に配設された圧縮バネ１６５の付勢力により、回転操作部材１１５が軸部１３３の突出方向に付勢されて、上述した通常の状態に復帰する。
【００９２】
第三の実施の形態
次に第三の実施の形態について説明する。
図１２は本発明に係る防犯サムターンの第三の実施の形態の分解側面図、図１３は図１２に示した防犯サムターンにおける通常時の正面図、図１４は同防犯サムターンのクラッチカバーの一部を示す分解斜視図、図１５は図１２に示した防犯サムターンにおける操作時の縦断面視を表した動作説明図、図１６は図１２に示した防犯サムターンにおける動作説明図である。
【００９３】
この第三の実施の形態による防犯サムターン２１０は、上記した第一，第二の実施の形態のように錠箱機構部に直接連結され施解錠装置の室内側操作部分であるサムターンとして構成される構造ではなく、扉２２３に既に配設された既存のサムターン２２１に後付けで構成することのできる防犯サムターンである。
この第三の実施の形態による防犯サムターン２１０は、その主要な構成として、図１２に示すクラッチ２１３と、クラッチカバー２１５と、操作部としての摺動摘み２１７と、保持手段２１９とを有している。
【００９４】
クラッチ２１３は、略円筒形状の取付基台部２２７を有し、この取付基台部２２７には既存サムターン２２１の摘み２２２の回動中心と同軸の軸部２３３が突設される。本実施の形態では、取付基台部２２７と軸部２３３とが別体構成とされ、図１２に示すように、ネジなどの固定手段２３２にて締結固定されている。
【００９５】
軸部２３３の先端側には段部２３４が形成されている。段部２３４は、先端側の小径部２３５とフランジ状の大径部２３６とが連設されることで形成されている。この段部２３４は、後述の説明で明らかとなるように、摺動摘み２１７が当接し、クラッチカバー２１５の軸線方向の移動を規制するものとなる。
また、軸部２３３は先端にやや細径な端部２３７を有し、その外周面には雄ねじが形成され雄ねじ部２３９とされる。また、この端部２３７の先端面には、回転位置表示手段２４１が設けられる。この回転位置表示手段２４１は、微小な凹凸による標示、印刷や刻印、或いは部分的な着色による色分け等とされる。例えば、図１３に示すように、解錠時では回転位置表示手段２４１は縦長状とされており、施錠する場合、すなわち、時計回りに９０度回転させると、横長状となり、解錠時と施錠時とが容易に識別可能となっており、これら向きが後述する嵌入溝の向きと一致するように設けられる。
【００９６】
クラッチ２１３は、取付基台部２２７が既存サムターン２２１の摘み２２２に被着される。この被着は、取付基台部２２７の軸部突出側の面と反対側の面に、摘み２２２の嵌入する嵌入溝２２８（図１２参照）を形成し、この嵌入溝２２８に貫通するメネジ２２９に、止めネジを螺合することにより、止めネジの先端を既存サムターン２２１の摘み２２２に圧接して行われる。なお、この被着には、粘着テープや接着剤が使用されてもよく、その場合、上記したメネジ，止めネジは設けられなくとも良い。
【００９７】
クラッチ２１３は、取付基台部２２７の軸部突出側の面に、クラッチ側係合手段２４３を有している。クラッチ側係合手段２４３は、取付基台部２２７の周縁を軸線方向に突出させた複数の歯２４４を円周方向に等間隔で配設してなる。このクラッチ側係合手段２４３は、クラッチカバー２１５に設けられる後述のカバー側係合手段２６３に噛合する。
【００９８】
クラッチカバー２１５は、本実施の形態では、基端側カバー２１５Ａと先端側カバー２１５Ｂとの２分割構造とされている。基端側カバー２１５Ａは、略円筒形状に形成され、先端側カバー２１５Ｂは表面が略球面状の湾曲面とされた円板状に形成される。これら基端側カバー２１５Ａと先端側カバー２１５Ｂとはネジなどの固定手段（図示せず）にて一体に連結されており、これら部材よりなるクラッチカバー２１５は、このような円形状となることで、針金等による引っ掛かりが防止できるようになっている。なお、互いを連結する固定手段であるネジは、基端側カバー２１５Ａ内より螺着され、表面にはネジ頭が表出しない。
【００９９】
基端側カバー２１５Ａは、内部が中空となり、後端がフレア部２５１となって広がる。基端側カバー２１５Ａの先端側には、中央に貫通穴２５３が形成され、クラッチ２１３の軸部２３３が貫通し回動自在に外挿される。また、この貫通穴２５３には先端側に大径となる段部２５４が形成され、軸部２３３の段部２３４の大径部２３６の後端に当接となる。先端側カバー２１５Ｂは、中央に貫通穴２５７が形成され軸部２３３の先端に外挿される。そして、この軸部２３３に外挿されたこれら基端側カバー２１５Ａと先端側カバー２１５Ｂとで、軸部２３３からの抜脱が規制される。
【０１００】
ここで、基端側カバー２１５Ａの貫通穴２５３は、軸部２３３の軸線方向に移動自在に外挿となる。つまり、クラッチカバー２１５は、軸部２３３に対して回転自在かつ軸線方向に移動自在となって軸部２３３の段部２３４によって抜脱不能に外挿されている。
基端側カバー２１５Ａは内部に係合手段としてのカバー側係合手段２６３を有している。カバー側係合手段２６３は、複数の歯２６４を貫通穴２５３と同一中心の円周方向に等間隔で配設してなる。このカバー側係合手段２６３は、上記したクラッチ側係合手段２４３に噛合可能となっている。
【０１０１】
クラッチカバー２１５は、上記のように基端側カバー２１５Ａと先端側カバーＢのそれぞれの貫通穴２５３，２５７により軸部２３３に抜脱不能に外挿されて取り付けられる。このようにして取り付けられたクラッチ２１３とクラッチカバー２１５との間には付勢手段である圧縮バネ２５５が配設され、圧縮バネ２５５はクラッチカバー２１５を軸部２３３の突出方向に付勢する。したがって、クラッチカバー２１５は、押すことにより、圧縮バネ２５５の付勢力に抗してクラッチ２１３に接近する方向（図１２の左方向）に移動される。クラッチ２１３とクラッチカバー２１５とは、この押込みにより、クラッチ側係合手段２４３とカバー側係合手段２６３とが噛合して、相対回転が規制されるようになっている。
【０１０２】
クラッチカバー２１５は、圧縮バネ２５５によって付勢された位置で、フレア部２５１によってクラッチ２１３の取付基台部２２７を覆うようになっている。つまり、フレア部２５１と取付基台部２２７とは、オーバーハングしている。フレア部２５１には貫通穴２５１ａが穿設され、貫通穴２５１ａは、クラッチカバー２１５を押込んだ位置で取付基台部２２７のメネジ２２９に一致するようになっている。
なお、このクラッチカバー２１５の基端側カバー２１５Ａのフレア部２５１外周面には、フランジ状の係合突条２５２が設けられている。この係合突条２５２は、後述する後付け化粧リング２７３を支持する。
【０１０３】
クラッチカバー２１５には、クラッチカバー２１５の軸線と直交方向に摺動自在となった操作部としての一対の摺動摘み２１７が取り付けられている。この摺動摘み２１７は、図１４に示すように、先端側カバー２１５Ｂの基端側面に凹設された摺動溝２６７内に配設される。摺動溝２６７は、先端側カバー２１５Ｂ中央の貫通穴２５７に連通し、この貫通穴２５７に対して半径方向外側に向いて対となって形成され、基端側カバー２１５Ａの先端側端面との間で略管状の空間を形成する。すなわち、これら摺動摘み２１７は先端側カバー２１５Ｂと基端側カバー２１５Ａとに挟持されるように配設される。摺動摘み２１７は、図１４に示すように、略コ字状に形成され、一端が係合部２１７ａとされ、他端が操作部２１７ｂとなっている。操作部２１７ｂは、外側面が湾曲形成されクラッチカバー２１５の外周面に表出し、中途部分が軸部２３３の半部をオーバーハングして、係合部２１７ａが操作部２１７ｂに対して軸部２３３を挟み反対側に延出するように取り付けられる。
【０１０４】
一対の摺動摘み２１７，２１７は、各摺動溝２６７内を軸部２３３の軸線方向に対して直交する方向に摺動するとともに、摺動溝２６７の中途に形成される屈曲段部２６８との間に装着される圧縮バネ２６９によって、各操作部２１７ｂが互いに離反方向に付勢されている。したがって、通常時、摺動摘み２１７の係合部２１７ａは、軸部２３３先端の小径部２３５に当接し、互いで挟持した状態となって段部２３４に当接し、クラッチカバー２１５のクラッチ２１３側への移動を規制している。また、この状態で、各操作部２１７ｂがクラッチカバー２１５の外周面にやや突出して位置する（図１３参照）。
【０１０５】
一方、摺動摘み２１７は、操作部２１７ｂ同士が接近する方向に摘まれ摺動されることで、係合部２１７ａが軸部２３３から離反し、段部２３４と当接状態でなくなる。つまり、クラッチカバー２１５の軸線方向の移動規制が解除されるようになっている。これにより、クラッチカバー２１５は、図１５に示すように、カバー側係合手段２６３がクラッチ側係合手段２４３に係合する方向に押込み可能となる。
【０１０６】
なお、図１３，１４，１５に示すように、基端側カバー２１５Ａ及び先端側カバー２１５Ｂの外周面における各摺動溝２６７の開口部分の周囲には、連続した平坦面２７１が形成され、クラッチカバー２１５自体を摘み易くしているとともに、各摺動摘み２１７の操作部２１７ｂが平坦面２７１より突出し、これら操作部２１７の摘み操作を行いやすくしている。
また、本実施の形態では、摺動摘み２１７が二つ設けられる場合を例に説明しているが、本発明に係る防犯サムターン２１０は、摺動摘み２１７を一つとしても同様の作用を奏するものである。
【０１０７】
保持手段としての保持部材２１９は、本実施の形態では、上述の第二の実施の形態と略同様の構成とされ、図１に示すように、雌ねじよりなる螺子部材で構成される。この保持部材２１９は、クラッチカバー２１５の先端側カバー２１５Ｂ表面より貫通穴２５７を通して突出する軸部２３３に形成された雄ねじ部２３９に螺着される。この保持部材２１９の螺着は、上述したクラッチ側係合手段２４３とカバー側係合手段２６３とを互いに噛み合わせた状態でのみ螺着でき、この螺着により、これら係合手段２４３，２６３の係合状態を維持するようになっている。なお、この保持部材２１９は、略ナット状に形成されてもよく、或いは平板状に形成されて略中央に雌ねじ穴を有する構成や、図１に示すような表面側を略球面状に形成するものなどとしてもよい。
【０１０８】
防犯サムターン２１０は、さらに、既存サムターン２２１の摘み２２２，クラッチ２１３，クラッチカバー２１５の一部、及び既存サムターン２２１の化粧リング２２４を覆う後付け化粧リング２７３を備えている。
後付け化粧リング２７３は、略円錐筒状に形成され、止めネジを挿通するための貫通穴２７５が側面に穿設される。また、内部には、基端内周面が既存サムターン２２１の化粧リング２２４に当接するテーパ面２７７を有し、基端側に圧縮バネ２８１が当接する段部２７９が形成されており、先端縁には、内側に向かって突出する鉤状の係止爪２８３が複数形成されている。
【０１０９】
この後付け化粧リング２７３は、クラッチカバー２１５の基端側を覆うように取り付けられ、すなわち後付け化粧リング２７３内に圧縮バネ２８１を内設させ、先端側からクラッチカバー２１５の基端側を係合突条２５２を係止爪２８３内側に圧入するように嵌め入れ、後付け化粧リング２７３の段部２７９と係合突条２５２との間に圧縮バネ２８１が配置される状態となる。圧縮バネ２８１により係合突条２５２に対して段部２７９が扉面２２３ａの方向に押圧されるように、すなわち後付け化粧リング２７３がクラッチカバー２１５に対して扉面２２３ａ側に押圧付勢され、後付け化粧リング２７３が化粧リング２２４を抑え、かつこの化粧リング２２４を扉面２２３ａに押圧付勢することとなる。
【０１１０】
なお、この第三の実施の形態における後付け化粧リング２７３は、既存サムターン２２１の化粧リング２２４の形状や大きさ（外径）に合わせ選択可能な構成、すなわち既存の化粧リング２２４に適合可能な形状としておくことで、いずれの形状の既存のサムターン２２１に取り付け可能となる。なお、この後付け化粧リング２７３の取り付け構造としては、その他の構造としても良い。
【０１１１】
上記のように構成される防犯サムターン２１０を、既存サムターン２２１の摘み２２２に取り付けるには、先ず、クラッチ２１３，クラッチカバー２１５，摺動摘み２１７を予め一体に組み付けたものを、化粧リング２２４に後付け化粧リング２７３を外挿した状態とし取り付ける。そして、クラッチカバー２１５を押圧することにより、クラッチカバー２１５の貫通穴２５１ａを、後付け化粧リング２７３の貫通穴２７５，クラッチ２１３のメネジ２２９に一致させ、後付け化粧リング２７３の貫通穴２７５からメネジ２２９に止めネジを螺合し、六角レンチなどの工具で締めることにより、クラッチ２１３を既存サムターン２２１の摘み２２２に固定する。これにより、防犯サムターン２１０の取り付けが完了する。なお、貫通穴２７５には、図示しないがキャップ等を嵌め閉塞させることが好ましい。
【０１１２】
次に、このようにして、既存サムターン２２１の摘み２２２に取り付けられた防犯サムターン２１０の動作を説明する。
防犯サムターン２１０は、通常時、クラッチカバー２１５が回動自在となる。その一方、クラッチカバー２１５は、摺動摘み２１７の係合部２１７ａが段部２３４に当接していることで、軸線方向には移動（押込み）不能となる。
【０１１３】
解錠操作時には、摺動摘み２１７を摘む。すると、摺動摘み２１７の係合部２１７ａが段部２３４から外れ、クラッチカバー２１５の移動規制が解除されて、クラッチ２１３に接近する方向への移動、すなわち押込みが可能となる。この状態で、摺動摘み２１７を摘みながら、クラッチカバー２１５を押込むと、クラッチカバー２１５のカバー側係合手段２６３が、クラッチ２１３のクラッチ側係合手段２４３に噛合して、クラッチカバー２１５とクラッチ２１３との相対回転が規制されて、クラッチカバー２１５の回転操作力がクラッチ２１３へ伝達可能となる（図１５参照）。
【０１１４】
すなわち、摺動摘み２１７を摘みながらクラッチカバー２１５を押込み、さらにクラッチカバー２１５を解錠方向に回転することで、クラッチ２１３が回転され、クラッチ２１３に固着された既存サムターン２２１の摘み２２２が解錠回転される。
【０１１５】
施錠方法は、この解錠方法と同様にして行うことができる。
【０１１６】
このように、上記したこの防犯サムターン２１０によれば、既存サムターン２２１の摘み２２２がクラッチ２１３で覆われ、このクラッチ２１３がさらに円形のクラッチカバー２１５で覆われるので、針金や棒等を用いても、滑りにより回転力の入力が阻止される。そして、摺動摘み２１７の操作力を既存サムターン２２１の摘みに伝達するには、摺動摘み２１７を摘み、摺動摘み２１７とともにクラッチカバー２１５を押しながら回転しなければならないため、針金により摺動摘みを不正に操作しようとしても、クラッチカバー２１５が空転するのみとなる。
すなわち、摘みながら押して回すという三つの動作を同時に行わなければならず、指による直接的な操作以外では操作が極めて困難となり、針金や棒を使用しての解錠が殆ど不可能となる。また、摺動摘み２１７を摘んで、回転操作する動作は既存サムターン２２１の摘み２２２と略同じとなり、それに新たに押す動作が加わるものの、手指による操作時ではこの押し動作は比較的容易に行えるので、違和感のない施解錠操作が可能となる。
【０１１７】
また、クラッチカバー２１５に設けられた摺動摘み２１７が段部２３４に当接してクラッチ２１３側への移動が規制される一方、この摺動摘２１７みが摺動操作されることで、規制が解除されて、クラッチカバー２１５の移動が可能となる。これにより摺動摘み２１７の摺動操作（すなわち、摘み操作）によって、クラッチカバー２１５を移動規制及び規制解除する機構が簡単な構造で実現可能となる。
【０１１８】
さらに、クラッチカバー２１５等で覆われることで視認できなくなった摘み２２２の回転位置が、回転位置表示手段２４１を介して知ることができ、操作性を向上させることができる。
【０１１９】
次に、上記した防犯性の得られる通常の操作状態から、常時既存サムターン２２１の回転を可能とする状態、すなわち、施解錠の操作が頻繁に行われる場合や、防犯性を一時的に無効にしたい場合などの際について説明する。
このような常時施解錠操作可能な状態とするには、まず、上記した施解錠操作時と同様に、摺動摘み２１７を摘み、クラッチカバー２１５を押込み移動させる。すなわち、クラッチカバー２１５のカバー側係合手段２６３を、クラッチ２１３のクラッチ側係合手段２４３に噛合させ、クラッチカバー２１５とクラッチ２１３との相対回転の規制状態とし、軸部２３３の先端を貫通穴２５７から突出状態とさせて、その状態で軸部先端に保持部材２１９を螺着させる。この保持部材２１９の螺着により、図１６に示すように、保持部材２１９の縁部２１９ａが先端側カバー２１５Ｂの貫通穴２５７の周囲の表面に係止し、軸部２３３に対するクラッチカバー２１５の移動状態を保持して各係合手段２４３，２６３の係合状態が維持される。
【０１２０】
従って、このように保持部材２１９を取り付けた状態とすることで、クラッチカバー２１５とクラッチ２１３とが常時、相対回転を規制された状態であり、すなわちクラッチカバー２１５と既存サムターン２２１とが直結状態となる。このことから、クラッチカバー２１５の回転が、両係合手段２４３，２６３を介して既存サムターン２２１に伝達され、従って、クラッチカバー２１５の回転操作が錠箱機構部に対して回転操作力として入力されることとなる。
そして、このような保持部材２１９による直結状態により、従来同様に簡便な施解錠が行えるサムターンとなる。
【０１２１】
また、上記したような、常時施解錠操作可能な状態から、上述した防犯性を得る通常の状態へと戻すには、保持部材２１９を取り除くことで、クラッチ２１３とクラッチカバー２１５との間に配設された圧縮バネ２５５の付勢力により、クラッチカバー２１５が軸部２３３の突出方向に付勢されて、上述した通常の状態に復帰する。
【０１２２】
なお、上述した第三の実施の形態では、クラッチカバー２１５の外形状を略円筒形状とし、その外周面に摺動摘み２１７を備えるような例について述べたが、上述した第二の実施の形態のように、クラッチカバー２１５の形状を略矩形枠状の挟持部と揺動摘みとで略矩形平板状の摘みを備えた構成としても良い。
【０１２３】
また、上述した各実施の形態では、保持部材１９，１１９，２１９とされた保持手段を、別体構成とし、必要時に螺着などの手段で取り付けることで、回転操作部材１５，１１５とサムターン軸１１，１１１或いはクラッチカバー２１５と既存サムターン２２１とを直結状態とした構成について説明したが、この保持手段として、回転操作部材１５，１１５或いはクラッチカバー２１５に予め設けられる構造などとし、例えば上述した第一の実施の形態と同様な雄ねじよりなる構成とし、回転操作部材の表面に回転自在に取り付け、回転操作部材を軸線方向に押し込んだ際にのみ、螺着を可能とする構成や、切換レバーなどにて構成し、回転操作部材の外表面のいずれかの位置に設け、同様に回転操作部材を押込み操作した際にのみ、両係合手段を係合した状態とし、これを維持する構造などとしてもよい。
【０１２４】
さらに、上述した第二，第三の実施の形態では、軸部１３３，２３３の先端が回転操作部材１１５或いはクラッチカバー２１５を貫通して突出し、この軸部先端に雌ねじを備えた保持部材１１９，２１９を螺着させる例としたが、上述した第一の実施の形態と同様に、軸部を短尺なものとして構成し、回転操作部材或いはクラッチカバーの表面から突出しない構成としてもよく、このような構成とした場合には、軸部先端に雌ねじを構成し、保持手段としては、第一の実施の形態同様に雄ねじで構成される保持部材とすればよい。なお、この場合は、通常の使用時において、貫通穴が開口した状態であることとなるので、上記同様、キャップにて閉塞させる。
【０１２５】
【発明の効果】
以上説明したように、本発明に係る請求項１記載の防犯サムターンによれば、軸部に対して、回転操作部材が回動自在となり、これにより、針金や棒等を用いても、錠箱機構部への回転力の入力が阻止される。そして、その操作力を錠箱機構部へと伝達するには、操作部を摘み、操作部とともに回転操作部材を押しながら回転しなければならないため、針金により操作部を不正に操作しようとしても、回転操作部材が空転するのみとなる。すなわち、摘みながら押して回すという三つの動作を同時に行わなければならず、指による直接的な操作以外では操作が極めて困難となり、針金や棒を使用しての解錠が殆ど不可能となる。また、操作部を摘んで、回転操作する動作は、従来からのサムターンの操作と略同じとなり、それに新たに押す動作が加わるものの、手指による操作時ではこの押し動作は比較的容易に行えるので、違和感のない施解錠操作が可能となる。
また、保持手段により、クラッチと係合手段とを係合状態で維持し、回転操作部材と軸部とを連結状態とすることで、上記した防犯状態を一時的に無効とすることができ、すなわち、回転操作部材とサムターン軸とを直結状態とすることができ、従来通りのサムターンによる施解錠操作と略同様の操作を行うことの可能な状態に切り換えることが可能となる。
【０１２６】
請求項２記載の防犯サムターンによれば、回転操作部材に設けられた揺動摘みが段部に当接してクラッチ側への移動が規制される一方、この摺動摘みが摺動操作されることで、規制が解除されて、回転操作部材の移動が可能となる。これにより摺動摘みの摺動操作、すなわち、摘み操作によって、回転操作部材を移動規制及び規制解除する機構が簡単な構造で実現可能となる。
【０１２７】
請求項３記載の防犯サムターンによれば、回転操作部材に設けられた揺動摘みが段部に当接してクラッチ側への移動が規制される一方、この揺動摘みが揺動操作されることで、規制が解除されて、回転操作部材の移動が可能となる。これにより揺動摘みの揺動操作、すなわち、摘み操作によって、回転操作部材を移動規制及び規制解除する機構が簡単な構造で実現可能となる。
【０１２８】
請求項４記載の防犯サムターンによれば、回転操作部材を略平板状としたことで、施解錠の操作を行う際に、摘み易くなり、その操作性を向上させることが可能となる。
【０１２９】
請求項５記載の防犯サムターンによれば、貫通穴を有することで、その貫通穴を介し、軸部の端部に対して容易に保持手段を取り付けることが可能となり、上記した通常の防犯状態と、サムターンとして頻繁に使用する状態とで切り換えが可能なものとなる。
【０１３０】
請求項６記載の防犯サムターンによれば、既存サムターンの摘みがクラッチで覆われ、このクラッチがさらにクラッチカバーで覆われるので、針金や棒等を用いても、滑りにより回転力の入力が阻止される。そして、操作部の操作力を既存サムターンの摘みに伝達するには、操作部を摘み、操作部とともにクラッチカバーを押しながら回転しなければならないため、針金により操作部を不正に操作しようとしても、クラッチカバーが空転するのみとなる。すなわち、摘みながら押して回すという三つの動作を同時に行わなければならず、指による直接的な操作以外では操作が極めて困難となり、針金や棒を使用しての解錠が殆ど不可能となる。また、操作部を摘んで、回転操作する動作は既存サムターンの摘みと略同じとなり、それに新たに押す動作が加わるものの、手指による操作時ではこの押し動作は比較的容易に行えるので、違和感のない施解錠操作が可能となる。
また、保持手段により、クラッチと係合手段とを係合状態で維持し、クラッチカバーと軸部とを連結状態とすることで、上記した防犯状態を一時的に無効とすることができ、すなわち、クラッチカバーと既存サムターンとを直結状態とすることができ、従来通りのサムターンによる施解錠操作と略同様の操作を行うことの可能な状態に切り換えることが可能となる。
【０１３１】
請求項７記載の防犯サムターンによれば、クラッチカバーに設けられた摺動摘みが段部に当接してクラッチ側への移動が規制される一方、この摺動摘みが摺動操作されることで、規制が解除されて、クラッチカバーの移動が可能となる。これにより摺動摘みの摺動操作（すなわち、摘み操作）によって、クラッチカバーを移動規制及び規制解除する機構が簡単な構造で実現可能となる。
【０１３２】
請求項８記載の防犯サムターンによれば、クラッチカバーに設けられた揺動摘みが段部に当接してクラッチ側への移動が規制される一方、この揺動摘みが揺動操作されることで、規制が解除されて、クラッチカバーの移動が可能となる。これにより揺動摘みの揺動操作（すなわち、摘み操作）によって、クラッチカバーを移動規制及び規制解除する機構が簡単な構造で実現可能となる。
【０１３３】
請求項９記載の防犯サムターンによれば、揺動摘みの平板状の摘み部により、既存サムターンの施解錠状態が一目瞭然となり、所望の操作前に、クラッチカバーを一旦回して既存サムターンの施解錠状態を確認するなどの動作が不要になり、操作性が向上する。
【０１３４】
請求項１０記載の防犯サムターンによれば、貫通穴を有することで、その貫通穴を介し、軸部の端部に対して容易に保持手段を取り付けることが可能となり、上記した通常の防犯状態と、サムターンとして頻繁に使用する状態とで切り換えが可能なものとなる。
【０１３５】
請求項１１記載の防犯サムターンによれば、回転自在な回転操作部材により施錠状態或いは解錠状態となる錠箱機構部内の視認できなくなった状態、或いは、クラッチカバー等で覆われることで視認できなくなった摘みの回転位置が、回転位置表示手段を介して知ることができ、操作性を向上させることが可能となる。
【０１３６】
請求項１２記載の防犯サムターンによれば、回転操作部材或いはクラッチカバーに形成される貫通穴をキャップにより閉塞でき、これにより、不要な凹凸などを防ぐことができ、すなわち、針金や棒などを用いても、滑ることとなる。
【０１３７】
請求項１３記載の防犯サムターンによれば、キャップにて閉塞された貫通穴を、透明な部材とすることで貫通穴の奥方を視認でき、これにより、例えば、軸部の端部に回転位置表示手段が構成されている場合に、これを確認することが可能となる。
【図面の簡単な説明】
【図１】本発明に係る防犯サムターンの第一の実施の形態の一部を切り欠いた分解側面図である。
【図２】図１に示した防犯サムターンの一部拡大分解斜視図である。
【図３】図１に示した防犯サムターンにおける通常時の縦断面図である。
【図４】図１に示した防犯サムターンの正面図である。
【図５】図１に示した防犯サムターンの通常時の横断面図である。
【図６】図１に示した防犯サムターンにおける操作時の縦断面視を表した動作説明図である。
【図７】は図１に示した防犯サムターンにおける操作切換時の縦断面視を表した動作説明図である。
【図８】本発明に係る防犯サムターンの第二の実施の形態の一部を切り欠いた分解平断面図である。
【図９】（ａ）は図８に示した防犯サムターンにおける通常時の正面図、（ｂ）は同側断面図である。
【図１０】図８に示した防犯サムターンにおける操作時の平断面視を表した動作説明図である。
【図１１】図８に示した防犯サムターンにおける操作切換時の平断面視を表した動作説明図である。
【図１２】本発明に係る防犯サムターンの第三の実施の形態の分解側面図である。
【図１３】図１２に示した防犯サムターンにおける通常時の正面図である。
【図１４】同防犯サムターンのクラッチカバーの一部を示す分解斜視図である。
【図１５】図１２に示した防犯サムターンにおける操作時の縦断面視を表した動作説明図である。
【図１６】図１２に示した防犯サムターンにおける動作説明図である。
【図１７】従来の防犯カバーの扉への取り付け状態を示す斜視図である。
【図１８】図１７に示した防犯カバーの内部状態を表す断面図である。
【図１９】図１７に示した防犯カバーの別態様を表す部分破断側面図である。
【図２０】図１７に示した防犯カバーのさらに別態様を表す部分破断側面図である。
【符号の説明】
１０，１１０，２１０…防犯サムターン
１１，１１１…サムターン軸
１３，１１３，２１３…クラッチ
１５，１１５…回転操作部材
１７，２１７…操作部（摺動摘み）
１９，１１９，２１９…保持手段（保持部材）
２１，１２１…錠箱機構部
２７，１２７…基台部
３３，１３３，２３３…軸部
３５，１３５，２３４…段部
４１，１４１，２４１…回転位置表示手段
５７，１５７，２５７…貫通穴
６１…キャップ
６３，１６３…係合手段（操作部材側係合手段）
１１７…操作部（揺動摘み）
１５３…揺動軸
２１５…クラッチカバー
２２１…既存サムターン
２２２…摘み
２２７…取付基台部
２６３…係合手段（カバー側係合手段）
【図１】
2004232230.tif 000003
【図２】
2004232230.tif 000004
【図３】
2004232230.tif 000005
【図４】
2004232230.tif 000006
【図５】
2004232230.tif 000007
【図６】
2004232230.tif 000008
【図７】
2004232230.tif 000009
【図８】
2004232230.tif 000010
【図９】
2004232230.tif 000011
【図１０】
2004232230.tif 000012
【図１１】
2004232230.tif 000013
【図１２】
2004232230.tif 000014
【図１３】
2004232230.tif 000015
【図１４】
2004232230.tif 000016
【図１５】
2004232230.tif 000017
【図１６】
2004232230.tif 000018
【図１７】
2004232230.tif 000019
【図１８】
2004232230.tif 000020
【図１９】
2004232230.tif 000021
【図２０】
2004232230.tif 000022